(57)【要約】【課題】光ディスク媒体の中心部分にも絵や文字の表示やデータを記録できるようにする。【解決手段】光ディスク媒体１のセンターホールを無くし、光ディスク媒体１の外周からディスクの中心部を含む占有面積内に絵や文字等を描画・印刷した絵・文字層６を形成し、光ディスク媒体１の外周からディスク中心の半径０．５ｍｍ以内までの広範囲のエリア内にデータ記録層７を形成する。【選択図】図７
2005063542.tif 000002
【特許請求の範囲】
【請求項１】
センターホールが無く、ディスクの外周からディスク中心の半径０．５ｍｍ以内までの広範囲のエリア内に絵や文字等を描画・印刷した絵・文字層が形成されている
ことを特徴とする光ディスク媒体。
【請求項２】
センターホールが無く、ディスクの外周からディスク中心の半径０．５ｍｍ以内までの広範囲のエリア内にデータ記録層が形成されている
ことを特徴とする光ディスク媒体。
【請求項３】
センターホールが無く、ディスクの外周からディスクの中心の半径０．５ｍｍ以内までの広範囲のエリア内にデータ記録層が形成され、
該データ記録層を透過して視ることができる絵や文字等が描画・印刷された印刷層であって、ディスクの外周からディスクの中心の半径０．５ｍｍ以内までの広範囲のエリア内に該印刷層が形成されている
ことを特徴とする光ディスク媒体。
【請求項４】
少なくとも外周部分を除くディスク全体の厚みが均一に形成されている
ことを特徴とする請求項１〜請求項３の何れか１つの請求項に記載の光ディスク媒体。
【請求項５】
少なくとも前記絵・文字層が存在する側の表面に光透過可能な保護層が形成されている
ことを特徴とする請求項１〜請求項４の何れか１つの請求項に記載の光ディスク媒体。
【請求項６】
外周部分又は内周部分の何れか１箇所の上面又は下面或いは上下両面に環状のリブが形成されている
ことを特徴とする請求項１〜請求項６の何れか１つの請求項に記載の光ディスク媒体。
【請求項７】
請求項１〜請求項６の何れか１つの請求項に記載の光ディスク媒体がディスク載置面上に装着されるターンテーブルにおいて、
該ディスク載置面の外周にディスク位置決め用リブが形成されている
ことを特徴とするターンテーブル。
【請求項８】
前記ディスク位置決め用リブの内周面と上部水平面とのコーナーに面取りが施されている
ことを特徴とする請求項７に記載のターンテーブル。
【請求項９】
前記ディスク位置決め用リブの高さが前記光ディスク媒体の厚み以下に形成されている
ことを特徴とする請求項７又は８に記載のターンテーブル。
【請求項１０】
前記ターンテーブルの外周には前記光ディスク媒体の外周の一部をつまんで脱着するための切欠きが形成されている
ことを特徴とする請求項７又は請求項８又は請求項９に記載のターンテーブル。
【請求項１１】
請求項１〜６の何れか１つの請求項に記載の光ディスク媒体が請求項７〜請求項１０の何れか１つの請求項に記載のたターンテーブルに装着され、該ターンテーブルを回転駆動するスピンドルモータと、該ターンテーブルで回転駆動される前記光ディスク媒体にデータを記録及び／又は再生する光ピックアップとを備えた
ことを特徴とする光ディスク装置。
【請求項１２】
前記光ピックアップは前記光ディスク媒体の外周から中心までの広範囲に亘ってデータの記録及び／又は再生する
ことを特徴とする請求項１２に記載の光ディスク装置。
【発明の詳細な説明】
【技術分野】
【０００１】
本発明は、データを光方式や光磁気方式によって記録及び／又は再生する光ディスク媒体と、その光ディスク媒体を回転駆動するターンテーブル及びそのターンテーブルをスピンドルモータで光ディスク媒体を回転駆動しながら、光ピックアップによって光ディスク媒体のデータを記録／又は再生する光ディスク装置に関するものである。
【背景技術】
【０００２】
従来周知のように、データを光方式や光磁気方式によって記録及び／又は再生する光ディスクや光磁気ディスク等の光ディスク媒体は、ディスク基板の片面又は両面に光ピットや磁性膜等のデータ記録層を形成し、そのデータ記録層の上層には透明な保護層がコーティングされている。
そして、この光ディスク媒体は、一般的には、センターホールによってターンテーブル上のセンターリング用凸部の外周に挿入してチャッキングさせて回転駆動し、光ビームや光磁気によってデータ記録層にデータを記録及び／又は再生するようになされている。
【０００３】
そして、従来のこの種光ディスク媒体には、ディスク基板に金属基板を用いたもの（例えば特許文献１）。ディスク基板にセンターホールを形成する代りに、ディスク基板の中心部の下面に取り付けた金属のハブのセンターホールをターンテーブルの中心のスピンドルに挿入してチャッキングさせて回転駆動するもの（例えば特許文献２）が知られている。また、円環状（ドーナツ板形）の印刷ラベルを上下２枚の片面光ディスクのセンターホールの外側部分で、データ記録エリアの内側部分の間に上下から貼り合せたもの（例えば特許文献３）等もある。
【特許文献１】特開平１１−３４５４１２号公報
【特許文献２】特開平０７−２２５９７２号公報
【特許文献３】特開平０８−２９７８６７号公報
【発明の開示】
【発明が解決しようとする課題】
【０００４】
解決しようとする問題点は、光ディスク媒体の絵や文字等を表示するエリアやデータの記録エリアが、光ディスク媒体のセンターホールの外側部分とデータ記録エリアの内側部分との間の狭いエリアに限られていた点である。
【課題を解決するための手段】
【０００５】
本発明は、ディスクの中心部分にも絵や文字の表示やデータを記録することができるようにするために、センターホールを無くし、ディスクの外周からディスクの中心部の半径０．５ｍｍ以内までの広範囲のエリア内に絵や文字等を描画・印刷した絵・文字層やデータ記録層を形成することを最も主要な特徴とする。
【発明の効果】
【０００６】
本発明の光ディスク媒体とターンテーブルは、光ディスク媒体にセンターホールが無く、ディスクの外周からディスクの中心部の半径０．５ｍｍ以内までの広範囲のエリア内に絵や文字等を描画・印刷した絵・文字層やデータ記録層を形成することができるので、絵・文字層の面積拡大による宣伝効果や美観の向上、データ記録層の面積拡大による大容量ディスクの実現を図ることができるという利点がある。
【発明を実施するための最良の形態】
【０００７】
センターホールが無い光ディスク媒体をターンテーブル上に高精度にセンターリングするという目的を、ターンテーブルのディスク載置面の外周に形成した位置決め用リブによって実現した。
【実施例１】
【０００８】
初めに、図１によって、本発明の光ディスク装置の主要部の概要を説明する。
本発明の光ディスク媒体１は、ＣＤやＤＶＤに代表されるような光ビームによってデータの再生（読み取り）を行うものである。しかし、ＭＯ等の光磁気方式によってデータの記録及び／又は再生（読み取り）を行うものを否定するものではない。そして、この光ディスク媒体１の詳細は後述するが、光ディスク媒体１のディスク基板には磁性体で構成された金属基板が使用されている。なお、一般的な光ディスク媒体のディスク基板はＰＣ（ポリカーボネート）である。
【０００９】
次に、スピンドルモータ２のモータ軸２ａの先端にはターンテーブル３が圧入、接着、ビス止め等にて固着されていて、このターンテーブル３の詳細も後述するが、このターンテーブル３は磁性体で構成されている。
そして、このターンテーブル３には厚み方向にＮ極、Ｓ極が着磁されていて、その磁力ＭＦによって光ディスク媒体１がターンテーブル３のディスク載置面３ａ上に吸着（固定）されるように構成されている。
【００１０】
そして、この光ディスク媒体１はスピンドルモータ２によってターンテーブル３と一体に回転され、この光ディスク媒体１の片面又は両面に同心円形状に記録されたデータ（信号）が光ピックアップ４から照射される光ビームであるレーザービームＬＢによって読み取るられる（再生）。
この際、本発明の光ディスク媒体１は、一般的な光ディスク媒体と異なり、詳細を後述するように、センターホールが形成されておらず、光ディスク媒体１の外周から中心に至るまでの広範囲に亘ってデータが記録されているので、この光ピックアップ４はその光ディスク媒体１の半径方向（矢印Ａａ、ｂ方向）に外周から中心までの広範囲に亘ってアクセスしながらデータを読み取る。
その際、光ディスク媒体１の下面側全体にターンテーブル３が存在しているので、この光ピックアップ４は光ディスク媒体１のターンテーブル３とは反対側である上方からデータの読み取ることになる。
【００１１】
次に、図２〜図６によって、本発明の光ディスク媒体１の詳細について説明する。なお、図３はデータが片面のみに記録された光ディスク媒体１の詳細を説明する断面図であり、図４はデータが両面に記録された光ディスク媒体１の詳細を説明する断面図である。
そこで、この光ディスク媒体１のディスク基板は、薄い金属の円盤等の磁性を有する材料で構成された金属基板５で構成されている。この金属基板５には、例えば、厚みが０．５ｍｍ以下のＳＵＳ４３０（磁性を有するステンレス材料）を適用することができる。
【００１２】
そして、その金属基板５の片面や両面には、絵や文字が描画・印刷された絵・文字層６が形成されている。更に、絵・文字層６の上にはＵＶレジン（紫外線硬化樹脂）層からなるデータ記録層７が形成されている。なお、このデータ記録層７にはピットと称される深さ５０〜１３０ｎｍ程度の凹凸形状によってデータ７ａが同心円状に形成されている。なお、図３及び図４にはデータ７ａである凹凸形状を模式的に強調して示しているが、実際には、そのデータ７ａの形状は目で識別することが殆んどできないような小さなものであり、一見して平坦に視えるものである。また、ピットはＣＤやＤＶＤ等のＲＯＭディスクに使用されているものと同様のものであり、光ディスクでは一般的な信号記録情報である。
【００１３】
そして、データ記録層７を成形する際には、初めに、絵・文字層６上にＵＶレジン層を塗布した後、透明スタンパー（ピットを形成するための押型）をそのＵＶレジン層上に押し当てる。次に、この状態で、ＵＶレジン層に上からＵＶ（紫外線）を照射して、ＵＶレジン層を硬化することにより、ピット、即ち、データ記録層７が形成される。この時のデータ記録層（＝ＵＶレジン層）７の厚みＴは２０μｍ以上である。
【００１４】
また、この光ディスク媒体１では、データ記録層７の上（ピット面上）からスパッタ法により光透過可能な反射膜８が形成されている。この反射膜８の材質として、アルミニウム、アルミニウム合金、銀、銀合金、ケイ素等を挙げることができる。
この反射膜８は厚みが１０〜２０ｎｍ程度の薄膜であり、データ記録層７のピット形状を維持しつつ、前述した光ピックアップ４から照射されるレーザービームＬＢの反射膜として機能する。
【００１５】
そして、この反射膜８は薄膜であるが故に、反射率が１０〜３０％程度の光一部透過性を有する膜となっている。
そのために、金属基板５の表面に形成された絵・文字層６の絵や文字を反射膜８を通して視ることができるものである。
【００１６】
そして、この反射膜８の上には透明なＵＶレジン材料等からなる保護層であるカバーコート９が形成されている。このカバーコート９は、例えばスピンコート法によって薄膜状に形成され、ＵＶ照射によって硬化して形成するものである。
【００１７】
光ピックアップ４は光ディスク媒体１のカバーコート９側から対物レンズ４ａによってレーザービームＬＢを照射する。カバーコート９を透過したレーザービームＬＢは、反射膜８により反射されて光ピックアップ４に戻る。データ記録層７のピットによる反射光量の変化により、記録されている信号を読み取ることができる。これはＣＤやＤＶＤと同じ原理である。
【００１８】
なお、図４に示すように、両面に信号が記録されている光ディスク媒体１は、図３に示されている片面ディスクを作った後に、前述のデータ記録層７の形成以降の工程を、再度裏面にも施すことで作成できる。
【００１９】
本発明の光ディスク媒体１は、ディスク基板を磁性のある金属基板５に形成しているため、光ディスク媒体１自体が磁石に吸引される特徴を持っている。従来の光ディスク媒体は、例えばＭＤ（ミニディスク）ではハブと呼ばれるマグネット吸着用の金属片をディスクに貼り付けて使用したり、ＣＤやＤＶＤではディスククランパー等のディスク固定用の機構が必要であった。しかし、本発明により、マグネット吸着用のハブやディスククランパー等が不要となり、光ディスク媒体１を単独でターンテーブル３の磁力ＭＦでディスク載置面３ａに吸着することができる。
【００２０】
即ち、図１に示すように、磁性体で形成されているターンテーブル３のディスク載置面３ａ相当位置にＮ極、Ｓ極が上下方向に向くような着磁を施して、このターンテーブル３を磁石に構成する。すると、光ディスク媒体１の金属基板５がその磁石の磁力ＭＦによってターンテーブル３側へ吸引されるので、この光ディスク媒体１をターンテーブル３のディスク載置面７ａ上に水平（平行）に吸着することができる。
【００２１】
その際、光ディスク媒体１の金属基板５全体がターンテーブル３のディスク載置面７ａ上に平行に吸着されるので、光ディスク媒体１の反りが矯正されて、その光ディスク媒体１全体の平面度が著しく向上する。
従って、光ピックアップ４によってレーザービームＬＢをデータ記録層７に照射し、その反射光を読み取る際に、フォーカスエラーの発生を小さくすることができ、データの読み取りを常に高精度に行うことができる。
【００２２】
また、一般的なＣＤやＤＶＤのようにＰＣ（ポリカーボネート）でディスク基板を作っている従来の光ディスク媒体と比べて、ディスク基板に金属基板５を使用しているので、光ディスク媒体１全体の剛性が上がる。このことは、同等のディスク剛性で比べれば、光ディスク媒体１全体の厚みを薄くできるという利点を生む。
【００２３】
光ピックアップ４で信号再生を行う際、反射膜８で反射した光のみを読み取りたい。しかし、反射膜８は一部透過性のある反射膜であるので、透過した光が絵・文字層６で不要な反射光を発生させてしまう。
【００２４】
そのため、本発明では、ＵＶレジン層（データ記録層７）の厚みＴ（＝絵・文字層６と反射膜８間の距離）を厚くすることで、不要な反射光を低減させている（図５参照）。反射膜８上で焦点を結んでいたレーザービームＬＢは、ＵＶレジン層（データ記録層７）を厚くすればする程、透過光は絵・文字層６上では拡散され、大きな光径で投影される。そのため、絵・文字層６で反射された不要な反射光Ｌｂ２が、反射膜８で反射される必要な反射光Ｌｂ１内に漏れ込む量を少なくすることができて、データの読み取り精度を著しく向上することができる。
【００２５】
実際にＤＶＤ等で使われている２層記録ディスクを例に挙げてみると、反射膜の１層目と２層目の間の間隔が２０μｍで再生が可能となっている。最低限２０μｍの間隔を開けていれば、別の層からの不要な反射光が存在しても、システムとして成り立つ実績がある。反射膜８を一部透過性のある反射膜とすることと、絵・文字層６の不要な反射光Ｌｂ２が問題とならないレベルまでＵＶレジン層（データ記録層７）を厚くすること（２０μｍ以上）により、ディスクの信号記録面側にも絵や文字の印刷を入れることが可能となった。従来の技術では、信号記録面の裏面には印刷が可能であったが、信号記録面側に印刷を入れるのは不可能であった。
【００２６】
また、本発明の光ディスク媒体１の他の特徴として、ディスク表面が保護層であるカバーコート９によって覆われていることから、ディスク表面に形状的な凹凸が無く、ディスク表面を平滑面に形成できること。図２のディスク全体図に示すように、センターホール（ディスク中心の穴）が無いことを挙げることができる。
従来の光ディスク媒体では、スピンドルモータにディスクを固定する際、センターリングを行うためのセンターホールが不可欠であった。
【００２７】
しかし、本発明の光ディスク媒体１では、後述するように、スピンドルモータ２のターンテーブル３構造により、センターホールが無くても光ディスク媒体１のセンターリングが可能となった。そして、センターホールを無くしたことによって、データ記録層７をディスク中心部１ｂまで大きく拡大することができ、結果として記録容量を増やすことができる。
即ち、図６の（Ａ）は、ＣＤやＤＶＤ等のセンターホールが開口されている一般的な光ディスク媒体１０１を示したものであり、ディスク中心にセンターホール１０２が開口されているために、ディスク外周部１０３からディスク内周部にかけて形成されるデータ記録エリア１０７の内周側の直径を小さくすることができず、記録容量の拡大には限界がある。
【００２８】
しかし、本発明の光ディスク媒体１は、図６の（Ｂ）に示すように、ディスク中心にセンターホールが開口されていないので、データ記録層７をディスク外周部１ａからディスク中心部１ｂの直径０．５ｍｍ程度までディスク中心側へ大幅に拡大することができ、記録容量を大幅に増大することができる。
また、従来の光ディスク装置では、一般的に、ターンテーブル３によって回転される光ディスク媒体１のデータ記録面を下向きにし、その光ディスク媒体１の下側から光ピックアップによってデータの読み取りを行っているために、データ記録エリア１０２の内側の直径を小さくしようとすると、光ピックアップがスピンドルモータと干渉することになり、やはり、記録容量の拡大には限界がある。
【００２９】
しかし、本発明の光ディスク装置は、図１で説明したように、スピンドルモータ２と光ピックアップ４を光ディスク媒体１を挟んで互いに反対側に配置することで、光ピックアップ４をディスク内周へアクセスしても、光ピックアップ４とスピンドルモータ２が干渉することがない。従って、光ディスク媒体１のセンターホールが無いことと、光ピックアップ４をスピンドルモータ２に何等干渉させることなく、光ディスク媒体１の中心部１ｂまでアクセスさせることができることによっても、データ記録層７を拡大して、記録容量の拡大を図ることができる。
また、図７の（Ａ）は、ＣＤやＤＶＤ等のセンターホールが開口されている一般的な光ディスク媒体１０１を示したものであり、絵や文字等を描画・印刷によって形成する絵・文字層１０６がディスク中心に開口されるセンターホール１０２によって大幅に制限されてしまい、センターホール１０２部分を含むディスク占有面積全体を有効利用して、絵や文字等を大きく、効果的に表示することができない。
【００３０】
しかし、本発明の光ディスク媒体１は、図７の（Ｂ）に示すように、センターホールが無いことから、光ディスク媒体１の中心部分１ｂを含む全占有面積内に絵・文字層６を広範囲に形成することができる。従って、絵や文字等の表示がセンターホールによって何等制限されることがなく、絵や文字等を大きく、効果的に表示することができ、光ディスク媒体の美観や商品価値等を大幅に向上することができる。
【００３１】
次に、図８及び図９によって、本発明のターンテーブル３について説明する。
本発明のターンテーブル３は、磁石（ボンド磁石や燒結磁石等）により一体成形されており、それ自体がＮ極とＳ極が上下方向に着磁された磁力ＭＦを持っている。他の特徴としては、ターンテーブル３の外径が光ディスク媒体１の外径よりも大きく、かつ、ディスク載置面３ａの外周には光ディスク媒体１をセンターリングするための円筒状のリブ１０が同心状に一体成形されている。図１に示したように、光ディスク媒体１はその外径がリブ１０の内径に合うように位置決めされ、ディスク載置面３ａ上に磁力ＭＦによって吸着される。光ディスク媒体１の外径とリブ１０の内径は、各々の部品公差を考慮して１００μｍ程度の隙間を持って設計されている。
【００３２】
このセンターリング方法でも、±１００μｍ以内のセンターリング精度を得ることが可能であり、従来のセンターホールによるセンターリング方法と同等の精度でセンターリングすることが可能である。またこのリブ１０は光ディスク媒体１が回転中に円周方向に飛び出さないためのストッパーとしての役割も果たしている。この方法により、センターホールの無い光ディスク媒体１でも、ターンテーブル３に従来と同等の精度で高精度のセンターリングすることができる。
【００３３】
また、図８及び図９に示すように、本発明のターンテーブル３は、リブ１０の内周面１０ａと上面１０ｂとの角部に面取り１１が施してあり、光ディスク媒体１をリブ１０の内側に挿入して、ディスク載置面３ａ上に吸着（装着）させる際に、面取り１１によって光ディスク媒体１の外周を案内して、リブ１０の内側へスムーズに誘導することができる。従って、ターンテーブル３のディスク載置面３ａ上への光ディスク媒体１の装着操作をスムーズに行える。
【００３４】
なお、リブ１０の高さは、光ディスク媒体１の厚み以下になっている。光ディスク媒体１をターンテーブル３に着脱する時に、操作性を良くするため、光ピックアップ４はディスク最外周よりも更に外側に移動する。その時、リブ１０の高さがディスク厚みより高いと、光ピックアップ４の対物レンズ４ａ等の光ディスク媒体１に近接する部分がターンテーブル３の半径方向へ移動する際に、リブ１０に引っかかる可能性があるためである。リブ１０の高さが光ディスク媒体１の厚みよりも低ければ、引っかかる可能性が無くなる。
【００３５】
更に、ターンテーブル３の外周部分には１個又は複数個の切欠き部１４が形成されている。これは光ディスク媒体１をターンテーブル３に着脱する際、光ディスク媒体１をつかむ指が入る部分である。この切欠き部１４が無いと、ターンテーブル３のリブ１０が邪魔して、光ディスク媒体１を取り外す際、特に困難である。
【００３６】
本発明では光ディスク媒体１は内周から外周まで広い面で、ターンテーブル３に磁力ＭＦで吸着される方式をとっている。この方法では、仮に光ディスク媒体１に反りがあったとしても、磁力ＭＦの吸着力により、剛性の高いディスク載置面３ａ側に強制的に倣ってしまう。このことは、ディスク載置面３ａの平面度を良くしておけば、反りが大きい光ディスク媒体１でも実際の使用時には光ディスク媒体１の平面度が良い状態に矯正されることになる。従って、光ディスク媒体１の規格で決められている面振れや平面度の仕様よりも、ディスク載置面３ａの平面度を良くすることで、実際の使用時には、光ディスク媒体１の反りを減らす効果がある。換言すれば、光ディスク媒体１の反りにかかわる規格を緩めることが可能となる。
【００３７】
更に、図８〜図１０に示すように、本発明のターンテーブル３では、ディスク載置面３ａの外周部分に高さ方向の逃げである環状の凹み１２が形成されている。この凹み１２は光ディスク媒体１の外周端から１〜２ｍｍ以内の範囲で、ディスクの厚みが５０μｍ以下程度厚くなってしまう部分ができてしまうため、その逃げ用の凹み１２である。
つまり、図１０に示すように、光ディスク媒体１は前述したように、カバーコート９をスピンコート法により形成している。スピンコート法は遠心力を使って膜を形成するが、どうしても光ディスク媒体１の最外周部だけは、表面張力の関係でＵＶレジンが溜まってしまい、膜が厚くなる盛り上り部１５が形成されてしまう性質がある。この逃げ用の凹み１２が無ければ、光ディスク媒体１をターンテーブル３のディスク載置面３ａに吸着させた時に、盛り上り部１５がディスク載置面３ａ上に乗り上ってしまい（干渉すること）、光ディスク媒体１の反りが却って大きくなってしまう可能性がある。
【実施例２】
【００３８】
図１１は、本発明の実施例２を示したものであって、光ディスク媒体１の金属基板５に着磁した磁力ＭＦによって、この光ディスク媒体１を鉄材等の磁性体で形成されたターンテーブル３のディスク載置面３ａ上に吸着させるように構成したものである。
【実施例３】
【００３９】
図１２は、本発明の実施例３を示したものであって、ターンテーブル３のディスク載置面３ａに埋設した複数個の磁石１８の磁力ＭＦによって光ディスク媒体１をターンテーブル３のディスク載置面３ａ上に吸着させるように構成したものである。この場合には、ターンテーブル３はプラスチック等の非磁生体で形成することが可能である。
【実施例４】
【００４０】
図１３は、本発明の実施例４を示したものであって、光ディスク媒体１の上下面のうちの少なくとも一方であって、片面ディスクの場合は下面側（データ記録層７の反対側の面）で、両面ディスクの場合は上下両面で、その光ディスク媒体１の外周部分及び／又は内周部分に環状リブ１ｃ、１ｄを形成したものである。
このような環状リブ１ｃ、１ｄを光ディスク媒体１に形成しておけば、光ディスク媒体１を机上等へ不用意に載置するようなことがあってもカバーコート９や絵・文字層６等が傷つくことを未然に防止することができる。
【実施例５】
【００４１】
図１４は、本発明の実施例５を示したものであって、ターンテーブル３のディスク載置面２ａの外周部分と内周部分に環状リブ３ｂ、３ｃを形成して、光ディスク媒体１をこれら内外周の環状リブ３ｂ、３ｃ上に水平に載置させるようにいたものである。このように、ターンテーブル３のディスク載置面３ａは全面が１つの平面でなくても良い。
【産業上の利用可能性】
【００４２】
本発明は、上記した実施例に限定されることなく、本発明の技術的思想に基づいて各種の有効な変更が可能である。
本発明の光ディスク媒体は、光方式によってデータを記録及び／又は再生する光ディスクに限定されることなく、光磁気方式によってデータの記録及び／又は再生を行う光磁気ディスクにも適用可能である。
【図面の簡単な説明】
【００４３】
【図１】本発明の光ディスク装置の要部を示した一部切欠き側面図である。
【図２】本発明の光ディスク媒体全体を示した平面図及び側面図である。
【図３】本発明の光ディスク媒体を片面ディスクに適用した場合の要部を拡大して示した断面図である。
【図４】本発明の光ディスク媒体を両面ディスクに適用した場合の要部を拡大して示した断面図である。
【図５】本発明の光ディスク媒体のデータ記録層の厚みを大きくすることにより、絵・文字層による不要な反射光が必要な反射光内に入らないようにすることを説明する要部の拡大断面図である。
【図６】本発明の光ディスク媒体と、センターホールを有する一般的な光ディスクとの記録容量の違いを説明する平面図である。
【図７】本発明の光ディスク媒体と、センターホールを有する一般的な光ディスクとの絵や文字等の表示面積の違いを説明する平面図である。
【図８】本発明のターンテーブルを説明する平面図である。
【図９】図８の一部切欠き側面図である。
【図１０】本発明の光ディスク媒体の外周部分の盛り上り部と、その盛り上り部に対するターンテーブルの逃げ用凹みを説明する要部の拡大断面図である。
【図１１】本発明の第１の変形例を説明する断面図である。
【図１２】本発明の第２の変形例を説明する断面図である。
【図１３】本発明の第３の変形例を説明する断面図である。
【図１４】本発明の第４の変形例を説明する断面図である。
【符号の説明】
【００４４】
１    光ディスク媒体
２    スピンドルモータ
２ａ    モータ軸
３    ターンテーブル
３ａ    ディスク載置面
４    光ピックアップ
６    絵・文字層
７    データ記録層
１０    位置決め用リブ
１１    面取り
１２    凹み
１４    切欠き
【図１】
2005063542.tif 000003
【図２】
2005063542.tif 000004
【図３】
2005063542.tif 000005
【図４】
2005063542.tif 000006
【図５】
2005063542.tif 000007
【図６】
2005063542.tif 000008
【図７】
2005063542.tif 000009
【図８】
2005063542.tif 000010
【図９】
2005063542.tif 000011
【図１０】
2005063542.tif 000012
【図１１】
2005063542.tif 000013
【図１２】
2005063542.tif 000014
【図１３】
2005063542.tif 000015
【図１４】
2005063542.tif 000016